【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
遊技球が打込まれる遊技領域に設けられた第１始動領域へ遊技球が入賞した後、該入賞に基づいた変動表示の開始が可能となる第１の開始条件が成立したことに基づいて、各々が識別可能な第１の識別情報による第１の変動表示を開始し表示結果を導出表示する第１変動表示手段と、前記遊技領域に設けられた第２始動領域へ遊技球が入賞した後、該入賞に基づいた変動表示の開始が可能となる第２の開始条件が成立したことに基づいて、各々が識別可能な第２の識別情報による第２の変動表示を開始し表示結果を導出表示する第２変動表示手段とを有し、前記第１変動表示手段または前記第２変動表示手段に予め定められた特定表示結果が導出表示されたときに遊技者にとって有利な特定遊技状態に制御される遊技機であって、
遊技の進行を制御するとともに、前記第１変動表示手段および前記第２変動表示手段における変動表示を制御する遊技制御手段と、
前記遊技機に設けられている演出用部品の制御を行なう演出制御手段と、
前記遊技領域に設けられ、遊技球を受入れやすい遊技者にとって有利な第１の状態と該第１の状態に比べて遊技球を受入れにくいまたは受入れない遊技者にとって不利な第２の状態とに変化可能であり、前記特定遊技状態に制御されたときに当該第１の状態に制御される可変入賞球装置と、
該可変入賞球装置への遊技球の入賞を検出する入賞検出手段とを含み、
前記遊技制御手段は、
前記第１の変動表示と前記第２の変動表示とのいずれも実行されていないことを条件に、前記第１の開始条件が成立したときに、前記第１変動表示手段による前記第１の変動表示を開始させる第１変動表示開始手段と、
前記第１の変動表示と前記第２の変動表示とのいずれも実行されていないことを条件に、前記第２の開始条件が成立したときに、前記第２変動表示手段による前記第２の変動表示を開始させる第２変動表示開始手段と、
前記第１の開始条件が成立していない前記第１始動領域への遊技球の入賞数を計数する第１計数手段と、
前記第２の開始条件が成立していない前記第２始動領域への遊技球の入賞数を計数する第２計数手段と、
前記第１の開始条件が成立した前記第１変動表示手段における前記第１の変動表示の表示結果を決定するための第１表示結果決定処理と、前記第２の開始条件が成立した前記第２変動表示手段における前記第２の変動表示の表示結果を決定するための第２表示結果決定処理とを、同一の処理ルーチンにより実行し、前記第１変動表示手段および前記第２変動表示手段のうち、変動表示の開始条件が成立した変動表示手段における変動表示の表示結果を当該表示結果の導出表示前に決定する表示結果決定処理手段と、
前記第１変動表示手段および前記第２変動表示手段のそれぞれで実行される変動表示について、前記第１変動表示手段および前記第２変動表示手段のうち、前記開始条件が成立した変動表示手段における変動表示の変動表示開始時から変動表示終了時までの変動表示時間を含む変動パターンを複数の変動パターンから選択する変動パターン選択手段と、
前記特定遊技状態に制御されていないときにおいて、前記入賞検出手段により前記可変入賞球装置への遊技球の入賞が検出されたときに、前記可変入賞球装置への入賞に関する異常が生じたと判定する異常判定手段と、
該異常判定手段により前記異常が生じたと判定されたときに、該異常が生じた旨を示す異常コマンドを送信する異常時コマンド送信手段とを含み、
前記演出制御手段は、前記異常時コマンド送信手段により送信された前記異常コマンドに基づいて、前記異常が生じた旨を報知する異常報知手段を含み、
前記変動パターン選択手段は、前記第１計数手段によって計数された入賞数と前記第２計数手段によって計数された入賞数との合計数が所定数以上のときに、当該合計数が所定数未満であるときに比べて変動表示時間が短い変動パターンを選択し、
前記異常判定手段は、前記第１変動表示手段と前記第２変動表示手段との変動表示処理を実現するための複数のプロセスのいずれを実行するかを示すデータにより、前記特定遊技状態に制御されていないときであるか否かを判定することを特徴とする、遊技機。
【手続補正２】
【補正対象書類名】明細書
【補正対象項目名】０００７
【補正方法】変更
【補正の内容】
【０００７】
（１）  遊技球が打込まれる遊技領域（遊技領域７）に設けられた第１始動領域へ遊技球が入賞した後（第１始動入賞口１３への遊技球の入賞）、該入賞に基づいた変動表示の開始が可能となる第１の開始条件（第１特別図柄の変動開始順番になったこと）が成立したことに基づいて、各々が識別可能な第１の識別情報による第１の変動表示を開始し表示結果を導出表示する第１変動表示手段（特別図柄表示器８ａ）と、前記遊技領域に設けられた第２始動領域へ遊技球が入賞した後（第２始動入賞口１４への遊技球の入賞）、該入賞に基づいた変動表示の開始が可能となる第２の開始条件（第２特別図柄の変動開始順番になったこと）が成立したことに基づいて、各々が識別可能な第２の識別情報による第２の変動表示を開始し表示結果を導出表示する第２変動表示手段（第２特別図柄表示器８ｂ）とを有し、前記第１変動表示手段または前記第２変動表示手段に予め定められた特定表示結果（大当り表示結果）が導出表示されたときに遊技者にとって有利な特定遊技状態（大当り遊技状態）に制御される遊技機（パチンコ遊技機１）であって、
遊技の進行を制御するとともに、前記第１変動表示手段および前記第２変動表示手段における変動表示を制御する遊技制御手段（遊技制御用マイクロコンピュータ５６０）と、
前記遊技機に設けられている演出用部品（演出表示装置９等）の制御を行なう演出制御手段（演出制御用マイクロコンピュータ１００）と、
前記遊技領域に設けられ、遊技球を受入れやすい遊技者にとって有利な第１の状態（開状態）と該第１の状態に比べて遊技球を受入れにくいまたは受入れない遊技者にとって不利な第２の状態（閉状態）とに変化可能であり、前記特定遊技状態に制御されたときに当該第１の状態に制御される可変入賞球装置（特別可変入賞球装置２０）と、
該可変入賞球装置への遊技球の入賞を検出する入賞検出手段（カウントスイッチ２３）とを含み、
前記遊技制御手段は、
前記第１の変動表示と前記第２の変動表示とのいずれも実行されていないことを条件に、前記第１の開始条件が成立したとき（図２１のＳ５２でＹ）に、前記第１変動表示手段による前記第１の変動表示を開始させる第１変動表示開始手段（遊技制御用マイクロコンピュータ５６０、図２３のＳ７７）と、
第１の変動表示と前記第２の変動表示とのいずれも実行されていないことを条件に、前記第２の開始条件が成立したとき（図２１のＳ５２でＮ）に、前記第２変動表示手段による前記第２の変動表示を開始させる第２変動表示開始手段（遊技制御用マイクロコンピュータ５６０、図２３のＳ７７）と、
前記第１の開始条件が成立していない前記第１始動領域への遊技球の入賞数（第１保留記憶数）を計数する第１計数手段（遊技制御用マイクロコンピュータ５６０、図１９のＳ１１０，Ｓ１１１，Ｓ１１２，Ｓ１１６，Ｓ１１７）と、
前記第２の開始条件が成立していない前記第２始動領域への遊技球の入賞数（第２保留記憶数）を計数する第２計数手段（遊技制御用マイクロコンピュータ５６０、図１９のＳ１１３，Ｓ１１４，Ｓ１１５，Ｓ１１６，Ｓ１１７）と、
前記第１の開始条件が成立した前記第１変動表示手段における前記第１の変動表示の表示結果を決定するための第１表示結果決定処理と、前記第２の開始条件が成立した前記第２変動表示手段における前記第２の変動表示の表示結果を決定するための第２表示結果決定処理とを、同一の処理ルーチン（図２１のＳ６１〜Ｓ６８）により実行し、前記第１変動表示手段および前記第２変動表示手段のうち、変動表示の開始条件が成立した変動表示手段における変動表示の表示結果を当該表示結果の導出表示前に決定する表示結果決定処理手段（遊技制御用マイクロコンピュータ５６０、図２１のＳ６１〜Ｓ６８）と、
前記第１変動表示手段および前記第２変動表示手段のそれぞれで実行される変動表示について、前記第１変動表示手段および前記第２変動表示手段のうち、前記開始条件が成立した変動表示手段における変動表示の変動表示開始時から変動表示終了時までの変動表示時間を含む変動パターンを複数の変動パターン（図８の変動パターン）から選択する変動パターン選択手段（遊技制御用マイクロコンピュータ５６０、図２３のＳ７１〜Ｓ７４）と、
前記特定遊技状態に制御されていないときにおいて、前記入賞検出手段により前記可変入賞球装置への遊技球の入賞が検出されたときに、前記可変入賞球装置への入賞に関する異常が生じたと判定する異常判定手段（図１４のＳ９１〜Ｓ９３）と、
該異常判定手段により前記異常が生じたと判定されたときに、該異常が生じた旨を示す異常コマンド（異常入賞報知コマンド）を送信する異常時コマンド送信手段（図１６のＳ３６０ａ〜Ｓ３６０ｃ）とを含み、
前記演出制御手段は、前記異常時コマンド送信手段により送信された前記異常コマンドに基づいて、前記異常が生じた旨を報知する異常報知手段（図３２のＳ６７０）を含み、
前記変動パターン選択手段は、前記第１計数手段によって計数された入賞数と前記第２計数手段によって計数された入賞数との合計数（合算保留記憶数カウンタの値）が所定数（たとえば、４）以上のときに、当該合計数が所定数未満であるときに比べて変動表示時間が短い変動パターンを選択し（図２３のＳ７２，Ｓ７３、短縮変動パターンテーブルから変動パターンを選択する）、
前記異常判定手段は、前記第１変動表示手段と前記第２変動表示手段との変動表示処理を実現するための複数のプロセスのいずれを実行するかを示すデータにより、前記特定遊技状態に制御されていないときであるか否かを判定する（図１４のＳ９２）。
【手続補正３】
【補正対象書類名】明細書
【補正対象項目名】０００８
【補正方法】変更
【補正の内容】
【０００８】
このような構成によれば、第１の開始条件が成立した第１変動表示手段における第１の変動表示の表示結果を決定するための第１表示結果決定処理と、第２の開始条件が成立した第２変動表示手段における第２の変動表示の表示結果を決定するための第２表示結果決定処理とを、同一の処理ルーチンにより実行することにより、変動表示の表示結果が決定されるので、第１変動表示手段および第２変動表示手段で変動表示を実行するために必要となる処理ルーチン数を削減することができ、そのような変動表示を実行するために必要となるプログラム容量を削減することができる。また、第１変動表示手段および第２変動表示手段のそれぞれでの変動表示について、第１計数手段によって計数された入賞数と第２計数手段によって計数された入賞数との合計数が所定数以上のときに、合計数が所定数未満であるときに比べて変動表示時間が短い変動パターンが選択されるので、合計数が所定値以上であるときに、第１変動表示手段と第２変動表示手段とのうちのいずれか一方の変動表示手段についてはそのような変動表示時間が短い変動パターンでの変動表示が行なわれるが、他方の変動表示手段についてはそのような変動表示時間が短い変動パターンでの変動表示が行なわれない事態が発生することを防止でき、そのような事態の発生により遊技者に違和感を与えないようにすることができる。さらに、特定遊技状態に制御されていないときにおいて、可変入賞球装置への遊技球の入賞が検出されたというような可変入賞球装置への入賞に関する異常が生じたと判定されたときに、該異常が生じた旨を示す異常コマンドに基づいて、異常が生じた旨が報知される。これにより、可変入賞球装置への入賞に関する異常が生じたことを容易に認識させることができ、可変入賞球装置への入賞に関する不正行為を抑止することができるようになる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】